(57)【要約】【課題】周波数パーティションの選択方法及び装置を提供すること。【解決手段】該方法は、予め設定されたマッピング規則に従って端末により受信された数量化後のリソースメトリック値ＲＭからリソースメトリック値ＲＭを回復し（Ｓ２０２）、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、Ｙは数量化後のＲＭであり、Δ１、Δ２、Δ３はそれぞれ、０以上１以下の任意の実数であって、端末がＲＭに基づいて周波数パーティションの選択を行う（Ｓ２０４）ステップを含む。本発明による方法及び装置によると、数量化後のリソースメトリック値からＲＭを回復し、端末による周波数パーティションの選択に寄与することができる。【選択図】図２
2013511174.tif 000002
【特許請求の範囲】
【請求項１】
予め設定されたマッピング規則に従って端末により受信された数量化後のリソースメトリック値ＲＭからＲＭを回復し、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、Ｙは数量化後のＲＭであり、Δ１、Δ２、Δ３はそれぞれ、０以上１以下の任意の実数であって、
端末が前記ＲＭに基づいて周波数パーティションの選択を行うステップを含むことを特徴とする周波数パーティションの選択方法。
【請求項２】
Δ１、Δ２、Δ３の値が１である場合、前記マッピング規則を一般式で表すと、
Ｙが０以上４未満である場合、ＲＭ＝（Ｙ＋１）*０.１２５であり、
Ｙが４以上１２未満である場合、ＲＭ＝（Ｙ-３）*０.３/８＋０.５であり、
Ｙが１２以上１５以下である場合、ＲＭ＝（Ｙ-１１）*０.０５＋０.８であり、Ｙは数量化後のＲＭであることを特徴とする請求項１に記載の方法。
【請求項３】
Δ１、Δ２、Δ３の値が０である場合、前記マッピング規則を一般式で表すと、
Ｙが０以上４未満である場合、ＲＭ＝Ｙ*０.１２５であり、
Ｙが４以上１２未満である場合、ＲＭ＝（Ｙ-４）*０.３/８＋０.５であり、
Ｙが１２以上１５以下である場合、ＲＭ＝（Ｙ-１２）*０.０５＋０.８であり、Ｙは数量化後のＲＭであることを特徴とする請求項１に記載の方法。
【請求項４】
Δ１、Δ２、Δ３の値が０.５である場合、前記マッピング規則を一般式で表すと、
Ｙが０以上４未満である場合、ＲＭ＝（Ｙ＋０.５）*０.１２５であり、
Ｙが４以上１２未満である場合、ＲＭ＝（Ｙ-３.５）*０.３/８＋０.５であり、
Ｙが１２以上１５以下である場合、ＲＭ＝（Ｙ-１１.５）*０.０５＋０.８であり、Ｙは数量化後のＲＭであることを特徴とする請求項１に記載の方法。
【請求項５】
前記ＲＭが、Δ１、Δ２、Δ３（Δ１、Δ２、Δ３は０以上１以下の任意の実数である）の値がいずれも０、０.５又は１である場合、前記マッピング規則に従って対応するＹにおいて得たＲＭ値の任意の組合せ形式を選択し、
前記ＲＭが、Δ１、Δ２、Δ３が０以上１以下の任意の実数である場合、前記マッピング規則に従って対応するＹにおいて得たＲＭ値の任意の組合せ形式を選択し、
及び/又は、前記マッピング規則に従って生成したマッピングテーブルを選択することを特徴とする請求項２又は３又は４に記載の方法。
【請求項６】
予め設定された前記マッピング規則が、デフォルト配置、端末による配置又は基地局が関連シグナルを介し、マッピング規則を端末に通知することであることを特徴とする請求項１に記載の方法。
【請求項７】
予め設定されたマッピング規則に従って端末により受信された数量化後のリソースメトリック値ＲＭによりＲＭを回復する回復ブロックと、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、Ｙは数量化後のＲＭであり、Δ１、Δ２、Δ３はそれぞれ、０以上１以下の任意の実数であって、
回復ブロックによって回復されたＲＭに基づいて周波数パーティションの選択を行う選択ブロックと、を含むことを特徴とする周波数パーティションの選択装置。
【請求項８】
Δ１、Δ２、Δ３の値が１である場合、前記マッピング規則を一般式で表すと、
Ｙが０以上４未満である場合、ＲＭ＝（Ｙ＋１）*０.１２５であり、
Ｙが４以上１２未満である場合、ＲＭ＝（Ｙ-３）*０.３/８＋０.５であり、
Ｙが１２以上１５以下である場合、ＲＭ＝（Ｙ-１１）*０.０５＋０.８であり、ＹはＲＭに対応する数量化値であることを特徴とする請求項７に記載の装置。
【請求項９】
Δ１、Δ２、Δ３の値が０である場合、前記マッピング規則を一般式で表すと、
Ｙが０以上４未満である場合、ＲＭ＝Ｙ*０.１２５であり、
Ｙが４以上１２未満である場合、ＲＭ＝（Ｙ-４）*０.３/８＋０.５であり、
Ｙが１２以上１５以下である場合、ＲＭ＝（Ｙ-１２）*０.０５＋０.８であり、ＹはＲＭに対応する数量化値であることを特徴とする請求項７に記載の装置。
【請求項１０】
Δ１、Δ２、Δ３の値が０.５である場合、前記マッピング規則を一般式で表すと、
Ｙが０以上４未満である場合、ＲＭ＝（Ｙ＋０.５）*０.１２５であり、
Ｙが４以上１２未満である場合、ＲＭ＝（Ｙ-３.５）*０.３/８＋０.５であり、
Ｙが１２以上１５以下である場合、ＲＭ＝（Ｙ-１１.５）*０.０５＋０.８であり、ＹはＲＭに対応する数量化値であることを特徴とする請求項７に記載の装置。
【請求項１１】
前記ＲＭが、Δ１、Δ２、Δ３（Δ１、Δ２、Δ３は０以上１以下の任意の実数である）の値がいずれも０、０.５又は１である場合、前記マッピング規則に従って対応するＹにおいて得たＲＭ値の任意の組合せ形式を選択し、
前記ＲＭが、Δ１、Δ２、Δ３が０以上１以下の任意の実数である場合、前記マッピング規則に従って対応するＹにおいて得たＲＭ値の任意の組合せ形式を選択し、
及び/又は、前記マッピング規則に従って生成したマッピングテーブルを選択することを特徴とする請求項８又は９又は１０に記載の装置。
【請求項１２】
予め設定された前記マッピング規則が、デフォルト配置、端末による配置又は基地局が関連シグナルを介してマッピング規則を端末に通知することであることを特徴とする請求項７に記載の装置。
【発明の詳細な説明】
【技術分野】
【０００１】
本発明は、通信分野に関し、具体的には、周波数パーティションの選択方法及び装置に関する。
【背景技術】
【０００２】
無線通信システムにおいて、基地局は、端末にサービスを提供する機器であり、アップリンク/ダウンリンクを介して端末と通信を行い、ダウンリンク又は順方向とは、基地局から端末への方向を指し、アップリンク又は逆方向とは、端末から基地局への方向を指す。複数の端末は同時にアップリンクを介して基地局にデータを送信することができ、ダウンリンクを介して同時に基地局からデータを受信することもできる。
【０００３】
基地局によりスケジューリングし制御するデータ伝送システムにおいて、基地局によってシステムの全てのリソースをスケジューリングし割り当て、例えば、基地局がダウンリンク伝送を行う際のリソース割り当て状況及び端末がアップリンク伝送を行う際に利用可能のリソース状況等を基地局によってスケジューリングして割り当てる。
【０００４】
直交周波数多重化（Orthogonal  Frequency  Division  Multiplexing、以下ＯＦＤＭと略称）システムにおいて、同一のセル内の基地局が異なる端末とダウンリンクデータ伝送を行う場合、これらのダウンリンクが互いに直交するので、セル内の干渉を避けることができない。しかし、異なるセル間のダウンリンクは直行しないこともあるので、各端末は他の隣接セルの基地局からのダウンリンク干渉、即ち、セル間干渉を受けることになる。
【０００５】
システム性能に対するセル間干渉の影響を低下することは、セルラーシステムの設計における重要な目標であり、セル間の干渉が大きいと、システムの容量、特にセル末端部のユーザの伝送能力を低減し、システムのカバー範囲及び端末の性能に影響を与えてしまう。セル間干渉を克服するため、部分周波数再利用（Fractional  Frequency  Reuse、以下ＦＦＲと略称）方法を利用してセル間干渉の強度を低下することができる。
【０００６】
図１は、関連技術に係る隣接セクタの周波数リソース割り当て方式及び各サブバンドの送信電力制限状況を示す図であり、図１に、隣接セクタの周波数リソース割り当て方式及び各周波数パーティション（Frequency  Partition、以下ＦＰと略称）の送信電力制限状況を示している。ＦＦＲの主要原理は以下のとおりである。
【０００７】
先ず、利用可能の周波数リソースをＮ（Ｎは０を超える整数）、例えばＮ＝４個のＦＰに分割し、即ち、利用可能の周波数リソースをＦＰ１、ＦＰ２、ＦＰ３、ＦＰ４に分割する。その中、ＦＰ１、ＦＰ２、ＦＰ３周波数再利用要素は３（即ち、Ｒｅｕｓｅ３、Ｒｅｕｓｅ１/３とも称する）であり、ＦＰ１、ＦＰ２、ＦＰ３における周波数リソースを三つの隣接セクタの中のいずれかのセクタに割り当てると、他の二つのセクタは、当該周波数リソースを利用することができず、又は当該周波数リソースのサブキャリア送信電力を制限する方法で当該周波数リソースを利用する。ＦＰ４の周波数再利用要素が１（即ち、Ｒｅｕｓｅ１）であると、三つの隣接セクタはいずれも当該周波数リソースを利用することができる。
【０００８】
その後、基地局は各ＦＰにリソースメトリック値（Resource  Metric、以下ＲＭと略称）、即ち、ＲＭ１、ＲＭ２、ＲＭ３、ＲＭ４｝を割り当て、該リソースメトリック値を端末に通知し、各端末は、各ＦＰのスペクトル効率（Spectral  Efficiency、以下ＳＥと略称）を測定し、各ＦＰのｎＳＥｉ（ｎＳＥｉ＝ＳＥｉ/ＲＭｉ、その中ｉはＦＰのインテックス番号である）の大きさを算出し、基地局にｎＳＥｉの最大のＭ（Ｍは１以上である）個のＦＰのチャネル品質情報（Channel  Quality  Information、以下ＣＱＩと略称）をフィードバックし、基地局は端末から報告されたＦＰのＣＱＩ状況に基づいてリソースを割り当てる。
【０００９】
最後に、基地局は各ＦＰのサイズ、各ＦＰにおけるサブキャリアの送信電力及び各ＦＰのＲＭ値を自己適応的に調整し、本セクタ内の全ての端末に通知し、端末は好適の周波数パーティションを選択する。
【００１０】
ＲＭを送信する際のシグナルオーバヘッドを減少するために、ＲＭの数量化方式が開示され、即ち、基地局により送信される周波数パーティションの数量化後のリソースメトリック値に用いられる数量化方式は、ＲＭが０以上０.５未満である場合、ＲＭの数量化一般式は、Ｙ＝ｆｌｏｏｒ（ＲＭ/０.１２５）であり、ＲＭが０.５以上０.８未満である場合、ＲＭの数量化一般式は、Ｙ＝ｆｌｏｏｒ（（ＲＭ-０.５）*８/０.３）＋４であり、ＲＭが０.８以上１以下である場合、ＲＭの数量化一般式はＹ＝ｆｌｏｏｒ（（ＲＭ-０.８）/０.１２５）＋１２であって、その中、ＹはＲＭに対応する数量化値である。前記一般式によると、ＲＭを４ｂｉｔの情報に数量化し、基地局から端末に送信することができるが、端末が数量化後のＲＭ（即ち、Ｙ）を受信した場合、どのようにＹからＲＭを回復するかについては説明していないので、ＲＭに基づいて端末による周波数パーティションの選択に寄与することができない。
【００１１】
関連技術における数量化後のリソースメトリック値からリソースメトリック値を回復できないので、ＲＭに基づいて端末による周波数パーティションの選択に寄与することができない問題について、未だに有効の解決案を提出していない。
【発明の概要】
【発明が解決しようとする課題】
【００１２】
本発明は、関連技術において数量化後のリソースメトリック値からリソースメトリック値を回復することができないので、ＲＭに基づいて端末による周波数パーティションの選択に寄与することができない問題に鑑みなされたもので、これらの問題を解決できる周波数パーティションの選択方法及び装置を提供することを目的とする。
【課題を解決するための手段】
【００１３】
前記目的を実現するために、本発明の一態様によると、周波数パーティションの選択方法を提供する。
【００１４】
本発明による周波数パーティションの選択方法は、予め設定されたマッピング規則に従って端末により受信された数量化後のリソースメトリック値ＲＭからＲＭを回復し、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、Ｙは数量化後のＲＭであり、Δ１、Δ２、Δ３はそれぞれ、０以上１以下の任意の実数であって、端末がＲＭに基づいて周波数パーティションの選択を行うステップを含む。
【００１５】
また、Δ１、Δ２、Δ３の値が１である場合、マッピング規則を一般式で表すと、Ｙが０以上４未満である場合、ＲＭ＝（Ｙ＋１）*０.１２５であり、Ｙが４以上１２未満である場合、ＲＭ＝（Ｙ-３）*０.３/８＋０.５であり、Ｙが１２以上１５以下である場合、ＲＭ＝（Ｙ-１１）*０.０５＋０.８であって、その中、Ｙは数量化後のＲＭである。
【００１６】
また、Δ１、Δ２、Δ３の値が０である場合、マッピング規則を一般式で表すと、Ｙが０以上４未満である場合、ＲＭ＝Ｙ*０.１２５であり、Ｙが４以上１２未満である場合、ＲＭ＝（Ｙ-４）*０.３/８＋０.５であり、Ｙが１２以上１５以下である場合、ＲＭ＝（Ｙ-１２）*０.０５＋０.８であって、その中、Ｙは数量化後のＲＭである。
【００１７】
また、Δ１、Δ２、Δ３の値が０.５である場合、マッピング規則を一般式で表すと、Ｙが０以上４未満である場合、ＲＭ＝（Ｙ＋０.５）*０.１２５であり、Ｙが４以上１２未満である場合、ＲＭ＝（Ｙ-３.５）*０.３/８＋０.５であり、Ｙが１２以上１５以下である場合、ＲＭ＝（Ｙ-１１.５）*０.０５＋０.８であって、その中、Ｙは数量化後のＲＭである。
【００１８】
また、ＲＭが、Δ１、Δ２、Δ３の値がいずれも０、０.５又は１である場合マッピング規則に従って対応するＹにおいて得たＲＭ値の任意の組合せ形式を選択し、ＲＭが、Δ１、Δ２、Δ３が０以上１以下の任意の実数である場合マッピング規則に従って対応するＹにおいて得たＲＭ値の任意の組合せ形式を選択し、及び/又は、マッピング規則に従って生成したマッピングテーブルを選択し、その中、Δ１、Δ２、Δ３は０以上１以下の任意の実数である。
【００１９】
また、予め設定されたマッピング規則は、デフォルト配置、端末による配置又は基地局が関連シグナルを介してマッピング規則を端末に通知することである。
【００２０】
前記目的を実現するために、本発明の他の一態様によると、周波数パーティションの選択装置を提供する。
【００２１】
本発明の周波数パーティションの選択装置は、予め設定されたマッピング規則に従って数量化後の周波数パーティションに対応するＲＭを回復する回復ブロックと、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、Ｙは数量化後のＲＭであり、Δ１、Δ２、Δ３はそれぞれ、０以上１以下の任意の実数であって、回復ブロックによって回復されたＲＭに基づいて周波数パーティションの選択を行う選択ブロックと、を含む。
【００２２】
また、Δ１、Δ２、Δ３の値が１である場合、マッピング規則を一般式で表すと、Ｙが０以上４未満である場合、ＲＭ＝（Ｙ＋１）*０.１２５であり、Ｙが４以上１２未満である場合、ＲＭ＝（Ｙ-３）*０.３/８＋０.５であり、Ｙが１２以上１５以下である場合、ＲＭ＝（Ｙ-１１）*０.０５＋０.８であって、その中、ＹはＲＭに対応する数量化値である。
【００２３】
また、Δ１、Δ２、Δ３の値が０である場合、マッピング規則を一般式で表すと、Ｙが０以上４未満である場合、ＲＭ＝Ｙ*０.１２５であり、Ｙが４以上１２未満である場合、ＲＭ＝（Ｙ-４）*０.３/８＋０.５であり、Ｙが１２以上１５以下である場合、ＲＭ＝（Ｙ-１２）*０.０５＋０.８であって、その中、ＹはＲＭに対応する数量化値である。
【００２４】
また、Δ１、Δ２、Δ３の値が０.５である場合、マッピング規則を一般式で表すと、Ｙが０以上４未満である場合、ＲＭ＝（Ｙ＋０.５）*０.１２５であり、Ｙが４以上１２未満である場合、ＲＭ＝（Ｙ-３.５）*０.３/８＋０.５であり、Ｙが１２以上１５以下である場合、ＲＭ＝（Ｙ-１１.５）*０.０５＋０.８であって、その中、ＹはＲＭに対応する数量化値である。
【００２５】
また、ＲＭが、Δ１、Δ２、Δ３の値がいずれも０、０.５又は１である場合マッピング規則に従って対応するＹにおいて得たＲＭ値の任意の組合せ形式を選択し、ＲＭが、Δ１、Δ２、Δ３が０以上１以下の任意の実数である場合マッピング規則に従って対応するＹにおいて得たＲＭ値の任意の組合せ形式を選択し、及び/又は、マッピング規則に従って生成したマッピングテーブルを選択し、その中、Δ１、Δ２、Δ３は０以上１以下の任意の実数である。
【００２６】
また、予め設定されたマッピング規則は、デフォルト配置、端末による配置又は基地局が関連シグナルを介してマッピング規則を端末に通知することである。
【発明の効果】
【００２７】
本発明によると、予め設定されたマッピング規則に従って端末により受信した数量化後のリソースメトリック値ＲＭからＲＭを回復し、関連技術における数量化後のリソースメトリック値からＲＭを回復することができないので、ＲＭに基づいて端末による周波数パーティションの選択に寄与することのできない問題を解決し、基地局から送信されたＲＭを効果的に回復し、端末はＲＭに基づいて端末による周波数パーティションの選択に寄与することができる。
【図面の簡単な説明】
【００２８】
ここで説明する図面は本発明を理解するためのものであり、本発明の一部を構成し、本発明における実施例と共に本発明を解釈し、本発明を不当に限定するものではない。
【図１】図１は、関連技術に係る隣接セクタの周波数リソース割り当て方式及び各サブバンドの送信電力制限状況を示す図である。
【図２】図２は、本発明の実施例に係る周波数パーティションの選択方法を示すフローチャートである。
【図３】図３は、本発明の実施例に係る実施例１、２、３における隣接セクタの周波数リソース割り当て方式及び各サブバンドの送信電力制限状況を示す図である。
【図４】図４は、本発明の実施例に係る周波数パーティションの選択装置の構造を示すブロック図である。
【発明を実施するための形態】
【００２９】
関連技術における数量化後のリソースメトリック値からＲＭを回復できないので、ＲＭに基づいて端末による周波数パーティションの選択に寄与することのできない問題に鑑み、本発明の実施例によると、周波数パーティションの選択方法を提供し、数量化後のＲＭを回復し、端末による周波数パーティションの選択に寄与し、予め設定されたマッピング規則に従って数量化後の周波数パーティションに対応するＲＭを回復し、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、ＹはＲＭを数量化後の数量化値であり、Δ１、Δ２、Δ３はそれぞれ、０以上１以下の任意の実数である。関連技術における数量化後のリソースメトリック値からＲＭを回復して端末による周波数パーティションの選択に寄与することのできない問題を解決し、基地局から送信されたＲＭを効果的に回復し、端末による周波数パーティションの選択に寄与できる効果を実現できる。
【００３０】
ここで、矛盾しない限り、本願の実施例及び実施例に記載の特徴を互いに組み合わせることができる。以下、図面を参照しつつ実施例にあわせ、本発明を詳しく説明する。
【００３１】
本発明の実施例によると、周波数パーティションの選択方法を提供する。
【００３２】
図２は、本発明の実施例に係る周波数パーティションの選択方法のフローチャートであり、図２に示すように、以下のステップＳ２０２〜ステップＳ２０４を含む。
【００３３】
予め設定されたマッピング規則に従って端末が受信した数量化後のリソースメトリック値ＲＭからＲＭを回復し（ステップＳ２０２）、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、ＹはＲＭを数量化後の数量化値であり、Δ１、Δ２、Δ３はそれぞれ、０以上１以下の任意の実数である。
【００３４】
具体的には、Δ１、Δ２、Δ３の値が１である場合、マッピング規則を一般式で表すと、Ｙが０以上４未満である場合、ＲＭ＝（Ｙ＋１）*０.１２５であり、Ｙが４以上１２未満である場合、ＲＭ＝（Ｙ-３）*０.３/８＋０.５であり、Ｙが１２以上１５以下である場合、ＲＭ＝（Ｙ-１１）*０.０５＋０.８であって、その中、ＹはＲＭに対応する数量化値である。
【００３５】
また、Δ１、Δ２、Δ３の値が１である場合、マッピング規則をテーブルで表すと表１のとおりである。
【００３６】
表１は、Δ１、Δ２、Δ３の値が１である場合のマッピング規則を示す表である。
【００３７】
【表１】
2013511174.tif 000003
【００３８】
具体的には、Δ１、Δ２、Δ３の値が０である場合、マッピング規則を一般式で表すと、Ｙが０以上４未満である場合、ＲＭ＝Ｙ*０.１２５であり、Ｙが４以上１２未満である場合、ＲＭ＝（Ｙ-４）*０.３/８＋０.５であり、Ｙが１２以上１５以下である場合、ＲＭ＝（Ｙ-１２）*０.０５＋０.８であって、その中、ＹはＲＭに対応する数量化値である。
【００３９】
また、Δ１、Δ２、Δ３の値が０である場合、マッピング規則をテーブルで表すると表２のとおりである。
【００４０】
表２は、Δ１、Δ２、Δ３の値が０である場合のマッピング規則を示す表である。
【００４１】
【表２】
2013511174.tif 000004
【００４２】
具体的には、Δ１、Δ２、Δ３の値が０.５である場合、マッピング規則を一般式で表すと、Ｙが０以上４未満である場合、ＲＭ＝（Ｙ＋０.５）*０.１２５であり、Ｙが４以上１２未満である場合、ＲＭ＝（Ｙ-３.５）*０.３/８＋０.５であり、Ｙが１２以上１５以下である場合、ＲＭ＝（Ｙ-１１.５）*０.０５＋０.８であって、その中、ＹはＲＭに対応する数量化値である。
【００４３】
また、Δ１、Δ２、Δ３の値が０.５である場合、マッピング規則をテーブルで表すと表３のとおりである。
【００４４】
表３は、Δ１、Δ２、Δ３の値が０.５である場合のマッピング規則を示す表である。
【００４５】
【表３】
2013511174.tif 000005
【００４６】
その中、ＲＭは、Δ１、Δ２、Δ３の値がいずれも０、０.５又は１である場合の各数量化値における任意の組合せ形式を選択する。
【００４７】
その中、予め設定されたマッピング規則は、デフォルト配置、端末による配置又は基地局から関連シグナルを介し、マッピング規則を端末に通知することである。
【００４８】
端末は、前記ＲＭに基づいて周波数パーティションの選択を行う（ステップＳ２０４）。
【００４９】
以下、実施例に合わせ、本発明の実施例の実現フローを詳しく説明する。
【００５０】
実施例１
本実施例において、周波数リソースを四つのＦＰに分割する。その中、｛ＦＰ１、ＦＰ２、ＦＰ３｝の周波数再利用要素はＲｅｕｓｅ３であり、ＦＰ４の周波数再利用要素はＲｅｕｓｅ１であり、図３は、本発明の実施例に係る実施例１、２、３における隣接セクタの周波数リソース割り当て方式及び各サブバンドの送信電力制限状況を示す図である。セクタ１において｛ＦＰ１、ＦＰ２、ＦＰ３、ＦＰ４｝の送信電力は｛ＰＨｉｇｈ、ＰＬｏｗ１、ＰＬｏｗ２、Ｐｒｅｕｓｅl｝であり、セクタ２において｛ＦＰ１、ＦＰ２、ＦＰ３、ＦＰ４｝の送信電力は｛ＰＬｏｗ２、ＰＨｉｇｈ、ＰＬｏｗ１、Ｐｒｅｕｓｅl｝であり、セクタ３において｛ＦＰ１、ＦＰ２、ＦＰ３、ＦＰ４｝の送信電力は｛ＰＬｏｗ１、ＰＬｏｗ２、ＰＨｉｇｈ、Ｐｒｅｕｓｅl｝である。
【００５１】
以下、セクタ１を例に、数量化後のリソースメトリック値の回復方法を説明し、回復後のＲＭに基づいて端末による周波数パーティションの選択に寄与し、具体的には、以下のステップＳ１０２〜ステップＳ１０８を含む。
【００５２】
本実施例において、｛ＦＰ１、ＦＰ２、ＦＰ３、ＦＰ４｝における対応するＲＭ値はそれぞれ｛１.８、０.７、０.５、１｝であって、基地局は周波数再利用要素がＲｅｕｓｅ３である二つの低電力の周波数パーティション、即ち、｛ＦＰ２、ＦＰ３｝を選択し、対応するＲＭ値は｛０.７、０.５｝である。
【００５３】
基地局は、｛０.７、０.５｝を下式に従って数量化し、数量化後のＲＭ値｛９、４｝を得る（ステップＳ１０２）。
【００５４】
ＲＭが０以上０.５未満である場合、ＲＭの数量化一般式は、Ｙ＝ｆｌｏｏｒ（ＲＭ/０.１２５）であり、
ＲＭが０．５以上０.８未満である場合、ＲＭの数量化一般式は、Ｙ＝ｆｌｏｏｒ（（ＲＭ-０.５）*８/０.３）＋４であり、
ＲＭが０.８以上１以下である場合、ＲＭの数量化一般式は、Ｙ＝ｆｌｏｏｒ（（ＲＭ-０.８）/０.１２５）＋１２である。
その中、ＹはＲＭに対応する数量化値である。
【００５５】
基地局は、ＲＭを数量化後に得たＲＭ値｛９、４｝を４ｂｉｔコードにより端末に送信する（ステップＳ１０４）。
【００５６】
端末は、基地局から送信された数量化後のＲＭ値｛９、４｝を受信した後、予め記憶したマッピングテーブル（表４を参照）に基づいて、｛９｝と｛４｝に対応するＲＭ初期値を探し、それぞれ｛０.７２５、０.５３７５｝である回復後のＲＭ値を取得する（ステップＳ１０６）。
【００５７】
【表４】
2013511174.tif 000006
【００５８】
その中、ステップＳ１０６において、表４を用いることができれば、表４の替わりに表５を用いることもでき、その場合、｛９｝と｛４｝に対応するＲＭ初期値を探し、それぞれ｛０.６８７５、０.５｝である回復後のＲＭ値を取得する。
【００５９】
その中、ステップＳ１０６において、表４を用いることができれば、表４の替わりに表６を用いることもでき、その場合、｛９｝と｛４｝に対応するＲＭ初期値を探し、それぞれ｛０.７０６２５、０.５１８７５｝である回復後のＲＭ値を取得する。
【００６０】
【表５】
2013511174.tif 000007
【００６１】
【表６】
2013511174.tif 000008
【００６２】
端末は、前記ＲＭに基づいて、周波数パーティションの選択を行う（ステップＳ１０８）。
【００６３】
実施例２
本実施例において、周波数リソースを四つのＦＰに分割する。その中、図３に示すように、｛ＦＰ１、ＦＰ２、ＦＰ３｝の周波数再利用要素はＲｅｕｓｅ３であり、ＦＰ４の周波数再利用要素はＲｅｕｓｅ１である。セクタ１において｛ＦＰ１、ＦＰ２、ＦＰ３、ＦＰ４｝の送信電力は｛ＰＨｉｇｈ、ＰＬｏｗ１、ＰＬｏｗ２、Ｐｒｅｕｓｅl｝であり、セクタ２において｛ＦＰ１、ＦＰ２、ＦＰ３、ＦＰ４｝の送信電力は｛ＰＬｏｗ２、ＰＨｉｇｈ、ＰＬｏｗ１、Ｐｒｅｕｓｅl｝であり、セクタ３において｛ＦＰ１、ＦＰ２、ＦＰ３、ＦＰ４｝の送信電力は｛ＰＬｏｗ１、ＰＬｏｗ２、ＰＨｉｇｈ、Ｐｒｅｕｓｅl｝である。
【００６４】
以下、セクタ１を例に、数量化後のリソースメトリック値の回復方法を詳しく説明し、回復後のＲＭに基づいて端末による周波数パーティションの選択に寄与し、具体的には、以下のステップＳ２１２〜ステップＳ２１８を含む。
【００６５】
本実施例において、｛ＦＰ１、ＦＰ２、ＦＰ３、ＦＰ４｝における対応するＲＭ値はそれぞれ｛１.８、０.７、０.５、１｝であって、基地局は周波数再利用要素がＲｅｕｓｅ３である二つの低電力の周波数パーティション、即ち、｛ＦＰ２、ＦＰ３｝を選択し、対応するＲＭ値は｛０.７、０.５｝である。
【００６６】
基地局は、｛０.７、０.５｝を下式に従って数量化し、数量化後のＲＭ値｛９、４｝を得る（ステップＳ２１２）。
【００６７】
ＲＭが０以上０.５未満である場合、ＲＭの数量化一般式は、Ｙ＝ｆｌｏｏｒ（ＲＭ/０.１２５）であり、
ＲＭが０．５以上０.８未満である場合、ＲＭの数量化一般式は、Ｙ＝ｆｌｏｏｒ（（ＲＭ-０.５）*８/０.３）＋４であり、ＲＭが０.８以上１以下である場合、ＲＭの数量化一般式はＹ＝ｆｌｏｏｒ（（ＲＭ-０.８）/０.１２５）＋１２である。
その中、ＹはＲＭに対応する数量化値である。
【００６８】
基地局は、ＲＭを数量化後に得たＲＭ値｛９、４｝を４ｂｉｔコードにより端末に送信する（ステップＳ２１４）。
【００６９】
端末は、基地局から送信された数量化後のＲＭ値｛９、４｝を受信した後、予め記憶したマッピング一般式１に従って、それぞれ｛０.７２５、０.５３７５｝である回復後のＲＭ値を算出によって得る（ステップＳ２１６）。
【００７０】
一般式１
Ｙが０以上４未満である場合、ＲＭ＝（Ｙ＋１）*０.１２５であり、
Ｙが４以上１２未満である場合、ＲＭ＝（Ｙ-３）*０.３/８＋０.５であり、
Ｙが１２以上１５以下である場合、ＲＭ＝（Ｙ-１１）*０.０５＋０.８である。
その中、ＹはＲＭに対応する数量化値である。
【００７１】
その中、ステップＳ２０６において、一般式１を用いることができれば、一般式１の替わに一般り式２を用いることもでき、その場合、算出によって得た回復後のＲＭ値はそれぞれ｛０.６８７５、０.５｝である。
【００７２】
一般式２
Ｙが０以上４未満である場合、ＲＭ＝Ｙ*０.１２５であり、
Ｙが４以上１２未満である場合、ＲＭ＝（Ｙ-４）*０.３/８＋０.５であり、
Ｙが１２以上１５以下である場合、ＲＭ＝（Ｙ-１２）*０.０５＋０.８である。
その中、ＹはＲＭに対応する数量化値である。
【００７３】
その中、ステップＳ２０６において、一般式１を用いることができれば、一般式１の替わりに一般式３を用いることもでき、その場合、算出によって得た回復後のＲＭ値はそれぞれ｛０.７０６２５、０.５１８７５｝である。
【００７４】
一般式３
Ｙが０以上４未満である場合、ＲＭ＝（Ｙ＋０.５）*０.１２５であり、
Ｙが４以上１２未満である場合、ＲＭ＝（Ｙ-３.５）*０.３/８＋０.５であり、
Ｙが１２以上１５以下である場合、ＲＭ＝（Ｙ-１１.５）*０.０５＋０.８である。
その中、ＹはＲＭに対応する数量化値である。
【００７５】
端末は、前記ＲＭに基づいて、周波数パーティションの選択を行う（ステップＳ２１８）。
【００７６】
実施例３
本実施例において、周波数リソースを四つのＦＰに分割する。その中、図３に示すように、｛ＦＰ１、ＦＰ２、ＦＰ３｝の周波数再利用要素はＲｅｕｓｅ３であり、ＦＰ４の周波数再利用要素はＲｅｕｓｅ１である。セクタ１において｛ＦＰ１、ＦＰ２、ＦＰ３、ＦＰ４｝の送信電力は｛ＰＨｉｇｈ、ＰＬｏｗ１、ＰＬｏｗ２、Ｐｒｅｕｓｅl｝であり、セクタ２において｛ＦＰ１、ＦＰ２、ＦＰ３、ＦＰ４｝の送信電力は｛ＰＬｏｗ２、ＰＨｉｇｈ、ＰＬｏｗ１、Ｐｒｅｕｓｅl｝であり、セクタ３において｛ＦＰ１、ＦＰ２、ＦＰ３、ＦＰ４｝の送信電力は｛ＰＬｏｗ１、ＰＬｏｗ２、ＰＨｉｇｈ、Ｐｒｅｕｓｅl｝である。
【００７７】
以下、セクタ１を例に、数量化後のリソースメトリック値の回復方法を詳しく説明し、回復後のＲＭに基づいて端末による周波数パーティションの選択に寄与し、具体的には、以下のステップＳ３０２〜ステップＳ３０８を含む。
【００７８】
本実施例において、｛ＦＰ１、ＦＰ２、ＦＰ３、ＦＰ４｝における対応するＲＭ値はそれぞれ｛１.８、０.７、０.５、１｝であって、基地局は周波数再利用要素がＲｅｕｓｅ３である二つの低電力の周波数パーティション、即ち、｛ＦＰ２、ＦＰ３｝を選択し、対応するＲＭ値は｛０.７、０.５｝である。
【００７９】
基地局は、｛０.７、０.５｝を下式に従って数量化し、数量化後のＲＭ値｛９、４｝を得る（ステップＳ３０２）。
【００８０】
ＲＭが０以上０.５未満である場合、ＲＭの数量化一般式は、Ｙ＝ｆｌｏｏｒ（ＲＭ/０.１２５）であり、
ＲＭが０．５以上０.８未満である場合、ＲＭの数量化一般式は、Ｙ＝ｆｌｏｏｒ（（ＲＭ-０.５）*８/０.３）＋４であり、
ＲＭが０.８以上１以下である場合、ＲＭの数量化一般式は、Ｙ＝ｆｌｏｏｒ（（ＲＭ-０.８）/０.１２５）＋１２である。
その中、ＹはＲＭに対応する数量化値である。
【００８１】
基地局は、ＲＭを数量化後に得たＲＭ値｛９、４｝を４ｂｉｔコードにより端末に送信する（ステップＳ３０４）。
【００８２】
端末は、基地局から送信された数量化後のＲＭ値｛９、４｝を受信した後、予め記憶したマッピング一般式１に従って、算出により回復後のＲＭ値を得る（ステップＳ３０６）。
【００８３】
一般式１
Ｙが０以上４未満である場合、ＲＭ＝（Ｙ＋Δ１）*０.１２５であり、
Ｙが４以上１２未満である場合、ＲＭ＝（Ｙ-４＋Δ２）*０.３/８＋０.５であり、
Ｙが１２以上１５以下である場合、ＲＭ＝（Ｙ-１２＋Δ３）*０.０５＋０.８である。
その中、ＹはＲＭに対応する数量化値であり、Δ１、Δ２、Δ３はそれぞれ、０以上１以下の実数である。
【００８４】
本実施例において、Δ１、Δ２、Δ３はそれぞれ標準により予め決められていて、Δ１＝０.５、Δ２＝０.５、Δ３＝０.５であるとすると、回復後のＲＭ値は｛０.７０６２５、０.５１８７５｝である。
【００８５】
端末は、前記ＲＭに基づいて周波数パーティションの選択を行う（ステップＳ３０８）。
【００８６】
本発明の実施例によると、周波数パーティションの選択装置を提供する。
【００８７】
図４は、本発明の実施例に係る周波数パーティションの選択装置の構造を示すブロック図であり、図４に示すように、該装置は、予め設定されたマッピング規則に従って数量化後の周波数パーティションに対応するＲＭを回復する回復ブロック４２と、その中、マッピング規則を一般式で表すと、Ｙが０以上４未満である場合、ＲＭ＝（Ｙ＋Δ１）*０.１２５であり、Ｙが４以上１２未満である場合、ＲＭ＝（Ｙ-４＋Δ２）*０.３/８＋０.５であり、Ｙが１２以上１５以下である場合、ＲＭ＝（Ｙ-１２＋Δ３）*０.０５＋０.８であって、その中、ＹはＲＭを数量化後の数量化値であり、Δ１、Δ２、Δ３はそれぞれ、０以上１以下の任意の実数であって、回復ブロック４２に接続され、回復ブロック４２によって回復されたＲＭに基づいて端末による周波数パーティションの選択に寄与する選択ブロック４４と、を含む。
【００８８】
ここで、装置実施例で説明した周波数パーティションの選択装置は前記の方法実施例に相当し、その具体的な実現フローは方法実施例にて詳しく説明したので、ここでは説明を省略する。
【００８９】
当業者にとっては、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかである。このように、本発明は如何なる特定のハードウェアとソフトウェアの結合にも限定されない。
【００９０】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013511174.tif 000009
【図２】
2013511174.tif 000010
【図３】
2013511174.tif 000011
【図４】
2013511174.tif 000012
【国際調査報告】
2013511174.tif 000013
2013511174.tif 000014
2013511174.tif 000015
2013511174.tif 000016